(57)【要約】【課題】４脚ブロックの吊り上げ用治具を、簡単な操作で、安定性よく水平に保持して吊り上げることができるようにする。【解決手段】突出脚５２の１本が上向き、他の３本が斜め下向きにした４脚ブロック５０に対して、斜め下向きの３本の突出脚５２の外方を枠状本体１０により囲んだ状態において、各突出脚の先端面５２ａと対向する枠状本体１０の各枠部分１１に、先端面５２ａに対して略平行な軸心を中心に枠部分１１の上方から内方向に回動可能な支圧部材２０を設け、支圧部材を枠部分１１の内側に添接した状態での枠状本体１０の吊り上げにより、支圧部材の内側面２０ａを突出脚の先端面５２ａに対接させ係合させて吊り上げるようにする。【選択図】          図９
2004307077.tif 000002
【特許請求の範囲】
【請求項１】
中央部と、該中央部より相互に等角度の放射状に突出する４本の突出脚とからなる４脚ブロックの吊り上げ用治具であって、
前記突出脚の１本が上向き、他の３本が斜め下向きにして置いた状態の前記４脚ブロックに対して、斜め下向きの３本の突出脚の外方を囲むことができる枠状本体を有し、
前記枠状本体には、周方向の所要の個所にクレーン等の吊り手段の係止部が設けられるとともに、前記突出脚の外方を囲んだ状態において各突出脚の先端面と対向する枠部分に、それぞれ前記先端面に対して略平行な軸心を持つ軸支部により前記枠部分の上方から内方向に回動可能に支持された支圧部材が設けられてなり、該支圧部材を回動させ前記枠部分の内側に添接した状態での前記枠状本体の吊り上げにより、該支圧部材の内側面が前記突出脚の先端面に対接し係合するように設けられてなることを特徴とする４脚ブロックの吊り上げ用治具。
【請求項２】
前記枠状本体が、平面よりみて前記３本の突出脚の先端面と対向する３辺の枠部分を短かくした略変形６角形をなし、この短辺の前記枠部分の内側面が前記突出脚の先端面と略対応した傾斜面をなしており、該枠部分に設けられた前記支圧部材が該枠部分の内側面に添接することにより傾斜状態で前記突出脚先端面に対接し係合するように設けられてなることを特徴とする請求項１に記載の４脚ブロックの吊り上げ用治具。
【請求項３】
前記各支圧部材は、前記枠部分の内側面に添接した状態において一側面が前記突出脚の先端面に対接し係合し得る幅を持つ対接部材と、該対接部材の両端部に結合された支持板とからなり、前記支持板には前記添接状態において前記枠部分の内側面より外方位置の軸支部に上方から支持される鉤形状の連結部片が延設され、前記対接部材が前記枠部分の内側面に添接した状態において前記連結部片が前記枠部分の内側上縁に係合することを特徴とする請求項１または２に記載の４脚ブロックの吊り上げ用治具。
【請求項４】
クレーン等の吊り手段の係止部が、前記３本の突出脚の先端部と対応する枠部分の両端部に突設されてなる請求項１〜３のいずれか１項に記載の４脚ブロックの吊り上げ用治具。
【発明の詳細な説明】
【０００１】
【発明の属する技術分野】
本発明は、主として海岸や河川の消波、護岸用等に使用されるコンクリート製の４脚ブロックの移動のための吊り上げ用治具に関するものである。
【０００２】
【従来の技術】
海岸や河川の消波、護岸用等に使用されるコンクリート製の４脚ブロック（所謂テトラ形ブロック）（５０）は、図１０のように中央部（５１）と、該中央部（５１）より相互に頭角度の放射状に突出する４本の截頭円錐形あるいは截頭角錐形の突出脚（５２）とからなるものである。
【０００３】
かかる４脚ブロック（５０）の製造工場での型枠離脱のための転置等の移動、施工現場での転地等の移動の際には、該ブロック（５０）をクレーン（図示せず）により吊り上げて移動させるのが普通である。
【０００４】
前記の４脚ブロック（５０）を吊り上げる方法としては、該ブロック（５０）が４方に突出脚（５２）を有する特異な形態をなしていることから、例えば図１１あるいは図１２のように玉掛けワイヤー（７１）を用い、これにクレーンのフック（７０）を掛けて吊り上げるのが最も一般的である。特に、製造工場での型枠離脱の際には、分割形の型枠のうち、ブロック下面側の斜線部分（５５）を成形する型枠（図示省略）を離脱させないと、ワイヤーをブロック下面に廻して吊り下げることができないため、同図のように、ブロック（５０）の突出脚（５２）の先端部に前記玉掛けワイヤー（７１）を掛けて吊り下げるようにしている。このほか、紐状物や帯状物等の治具を用いる方法も提案されている（例えば、下記の特許文献１）。
【０００５】
【特許文献１】
実開昭５９−１５６０７９号公報  図１−２
【０００６】
【発明が解決しようとする課題】
図１１あるいは図１２のように、玉掛けワイヤー（７１）を用いる方法は、型枠離脱のための転置作業等では、最も一般的な方法ではあるが、同図のようにブロック（５０）の突出脚（５２）の先端部に作業者が前記ワイヤー（７１）を掛けることになるため、その掛け止め作業に手数がかかり、作業性に問題がある上、ワイヤー（７１）が接触する部分、例えば突出脚先端のコーナー部分、あるいは図１２の小環状ワイヤー部（７１ａ）が接触する部分に欠けや擦り傷等が発生し、商品価値を低下させるおそれがある。しかも、前記の突出脚（５２）の先端部にワイヤー（７１）を掛けただけの吊り上げ状態は極めて不安定であり、吊り上げ姿勢を水平に保つのが難しいばかりか、吊り上げ移動中にブロック（５０）が滑り落ちる危険性があり、特に高さが２．５ｍ以上にもなる大型の重重量物のブロックのを吊り上げ移動するのには問題がある。
【０００７】
また、前記のように水平姿勢での吊り上げが難しいために、移動先において姿勢を修正する後続作業が必要になり、また重量のあるワイヤーを作業者が持ち上げ移動させる等の面倒な作業も必要になる。
【０００８】
さらに、紐状物や帯状物等を使用する方法は、玉掛けワイヤーを使用する場合と同様に、吊り上げ作業に手数がかかり、吊り上げ状態が不安定で、水平姿勢を保持し難く、またブロックの損傷のおそれもあり、やはり大型のブロックの吊り上げ移動には適さないものである。
【０００９】
本発明は、上記に鑑みてなしたものであり、この種の４脚ブロックの転地等の移動のための吊り上げ用治具として、取り扱い操作が容易であって、比較的大型のブロックでも安定性よく水平に保持して吊り上げることができる吊り上げ用治具を提供するものである。
【００１０】
【課題を解決するための手段】
本発明は、上記の課題を解決する４脚ブロックの吊り上げ用治具であり、中央部と、該中央部より相互に等角度の放射状に突出する４本の突出脚とからなる４脚ブロックの吊り上げ用治具であって、前記突出脚の１本が上向き、他の３本が斜め下向きにして置いた状態の前記４脚ブロックに対して、斜め下向きの３本の突出脚の外方を囲むことができる枠状本体を有し、前記枠状本体には、周方向の所要の個所にクレーン等の吊り手段の係止部が設けられるとともに、前記突出脚の外方を囲んだ状態において各突出脚の先端面と対向する枠部分に、それぞれ前記先端面に対して略平行な軸心を持つ軸支部により前記枠部分の上方から内方向に回動可能に支持された支圧部材が設けられてなり、該支圧部材を回動させ前記枠部分の内側に添接した状態での前記枠状本体の吊り上げにより、該支圧部材の内側面が前記突出脚の先端面に対接し係合するように設けられてなることを特徴とする。
【００１１】
前記の構成による本発明の吊り上げ用治具によれば、これを用いて４脚ブロックを吊り上げるには、本発明の吊り上げ用治具をクレーン等により吊り下げた状態にして、４本の突出脚の１本を上向きに、他の３本を斜め下向きにした４脚ブロックに対し、その上方から嵌め合せるように前記吊り上げ用治具を降下させ、該軸の枠状本体が斜め下向きになっている３本の突出脚の外方を囲むように配置セットする。このとき、前記３本の突出脚の先端面に対向する枠部分に備える支圧部材については、内側へ回動させずに該枠部分の内側面の上方部もしくは外方に位置させておけばよく、これにより該支圧部材をブロックに当接させずに前記のように問題なく容易に配置セットできる。
【００１２】
そして、前記の配置セット状態において、前記各枠部分のそれぞれに備える支圧部材を、軸支部を中心に枠部分の上方から内方向に回動させて枠部分の内側に添接させる。こうして、クレーン等により前記枠状本体を上方へ吊り上げることにより、前記各支圧部材の内側面が前記各突出脚の先端面、すなわちやや斜め下方に向けている傾斜した先端面に対接し係合する。したがって、前記の状態で前記枠状本体をさらに上昇させることにより、前記４脚ブロックを３本の突出脚の部分で支持した状態で吊り上げることができる。
【００１３】
この吊り上げ状態においては、４脚ブロックは、斜め下向きの３本の突出脚の部分が、それぞれ先端面に対接し係合する前記支圧部材を介して３方から挟圧されて支承されることになり、安定性がよく、移動中のガタつきが防止されるとともに、水平状態も良好に保持される。しかも、クレーン等のワイヤーが接触するおそれがないため、ブロックが損傷するおそれもない。また、ブロック製造工場での型枠離脱のための転置作業において、ブロック下面側を成形するに型枠が存在していても、前記のように問題なく吊り下げることができる。
【００１４】
また、前記吊り上げ用治具を４脚ブロックから離脱させる際は、該ブロックを移動先の所定の位置に下ろすとともに、枠状本体をさらに降下させて前記支圧部材を各突出脚の先端面から離脱させた後、前記支圧部材を前記枠部分の上方部から外方へ回動させて元の状態に戻せばよく、これにより、前記枠状本体をブロックの上方へ難なく抜脱することができる。
【００１５】
前記の吊り上げ用治具において、前記枠状本体が、平面よりみて前記３本の突出脚の先端面と対向する３辺の枠部分を短かくした略変形６角形をなし、この短辺の前記枠部分の内側面が前記突出脚の先端面と略対応した傾斜面をなしており、該枠部分に設けられた前記支圧部材が該枠部分の内側面に添接することにより傾斜状態で前記突出脚先端面に対接し係合するように設けられてなるものが好ましい。
【００１６】
これにより、枠状本体の前記短辺の枠部分が３本の突出脚に対して確実に対応位置させることができ、しかも支圧部材を内側に回動させた状態においては、対接部材が枠部分の傾斜した内側面に添接して傾斜状態に保持されるとともに、該対接部材の内側面の略全面がやや斜め下方に向けている傾斜した突出脚先端面に対接して安定性よく確実に係合でき、該支圧部材により持ち上げられる４脚ブロックを安定性よく支持できる。
【００１７】
また、前記各支圧部材は、前記枠部分の内側面に添接した状態において一側面が前記突出脚の先端面に対接し係合し得る幅を持つ対接部材と、該対接部材の両端部に結合された支持板とからなり、前記支持板には前記添接状態において前記枠部分の内側面より外方位置の軸支部に上方から支持される鉤形状の連結部片が延設され、前記対接部材が前記枠部分の内側面に添接した状態において前記連結部片が前記枠部分の内側上縁に係合するものが好ましい。
【００１８】
これにより、前記支圧部材として充分な強度を保有できるとともに、該支圧部材を内側に回動させて、突出脚の先端面に対接させて該４脚ブロックを吊り上げた状態においては、前記支圧部材の支持板に延設された連結部片が枠部分の内側上縁に係合することになり、支圧部材が下方に位置ずれするおそれがなく、前記４脚ブロックをさらに安定性よく吊り上げ状態に保持することができる。
【００１９】
前記の吊り上げ用治具におけるクレーン等の吊り手段の係止部が、前記３本の突出脚の先端部と対応する枠部分の両端部に突設されてなるものが好ましい。これにより、クレーン等による吊り上げ姿勢を良好に保持できるとともに、４脚ブロックの吊り上げ状態もさらに安定したものになる。
【００２０】
【発明の実施の形態】
次に本発明の実施の形態を図面に示す実施例に基づいて説明する。
【００２１】
図１は、本発明に係る４脚ブロックの移動のための吊り上げ用治具の１実施例を示す平面図、図２は同上の一部の拡大平面図、図３は一部の拡大側面図、図４及び図５はそれぞれ図２のＡ−Ａ線及びＢ−Ｂ線の断面図、図６及び図７は本発明の吊り上げ用治具を４脚ブロックに対して３本の突出脚外方を囲むように配置した状態の一部を省略した側断面図及び同一部の拡大断面図、図８及び図９は支圧部材を内側に回動させて突出脚先端面に対接し係合した状態の一部を省略した側断面図及び同一部の拡大断面図である。
【００２２】
図において、（１）は、図１０に示すコンクリート製の４脚ブロック（５０）、すなわち中央部（５１）と、該中央部（５１）から相互に等角度の放射方向に突出する断面が円形や多角形の４本の突出脚（５２）とからなる４脚ブロック（５０）の移動のための吊り上げ用治具である。
【００２３】
この吊り上げ用治具（１）は、前記４脚ブロック（５０）を、前記突出脚（５２）の１本を上向きに、他の３本を斜め下向きにして置いた状態において、該４脚ブロック（５０）に対し、上方からの降下させることにより、斜め下向きの３本の突出脚（５２）の外方を所要の間隙を存して囲むことができる主として多角形をなす枠状本体（１０）を有している。なお、斜め下向きの３本の突出脚（５２）の先端面（５２ａ）はやや斜め下方に向けて傾斜面をなしている。
【００２４】
図の場合、前記枠状本体（１０）は、平面よりみて前記３本の突出脚（５２）の先端部と対応する部分、すなわち前記３本の突出脚（５２）の外方を囲んだ状態において各突出脚（５２）の先端面（５２ａ）と対向する３辺の枠部分（１１）を短かくした略変形６角形をなしており、前記各枠部分（１１）は前記の先端面（５２ａ）と略平行をなすように形成されている。言い換えれば、斜め下向きの３本の突出脚（５２）の外方を囲む平面三角形の枠体の各頂部を切除して、該切除部分を前記先端面（５２ａ）と平行な短辺の枠部分（１１）として形成した変形多角形をなしている。（１２）は長辺の枠部分を示している。
【００２５】
前記の枠状本体（１０）は、前記枠部分（１１）を円弧状に形成したり、枠状本体の全体を円形に形成しておくことも可能であるが、実施上は前記のように突出脚（５２）の先端部（５２ａ）に対応する枠部分（１１）を短辺とする変形６角形に形成しておくのが、製作の容易性や取扱いの容易性等の点から望ましい。
【００２６】
前記枠状本体（１０）は、かなり重重量物の４脚ブロック（５０）を吊り上げることになるので、強度の高いＨ形鋼、Ｉ形鋼、Ｃ形鋼等の形鋼材により形成しておくのがよい。
【００２７】
図示する実施例においては、後述する支圧部材の取付部になる短辺の前記枠部分（１１）が、Ｈ形鋼により形成されるとともに、該枠状本体（１０）を水平にしたときに、該枠部分（１１）の内側面（１１ａ）が前記突出脚（５２）の先端面（５２ａ）と略対応した傾斜面をなすように傾斜せしめられている。
【００２８】
そして、前記の枠部分（１１）の両端部の内側、すなわち前記長辺の枠部分（１２）との連続部分の内側に、クレーン（図示せず）等に掛止される吊りワイヤー等の吊り手段（７３）のフックが係止される係止部（３）が突設されており、枠状本体（１０）を三方の前記枠部分（１１）の個所で安定性よく吊り上げることができるようになっている。
【００２９】
また、前記３本の突出脚（５２）の外方を囲んだ状態において各突出脚（５２）の先端部と対応する短辺の枠部分（１１）には、それぞれ該枠部分（１１）の内側面（１１ａ）より外方の位置、図の場合は、前記Ｈ形鋼の上部側内部において、前記突出脚（５２）の先端面（５２ａ）に対して略平行な軸心を持つピン連結構造の軸支部（１３）に支持された支圧部材（２０）が、前記軸支部（１３）を中心に前記枠部分（１１）の上方から内方向に回動可能に設けられている。（１４）は枠部分（１１）の内側に設けた軸支部（１３）を有する取付板である。
【００３０】
前記の支圧部材（２０）は、前記軸支部（１３）を中心に内方向に回動させることにより、前記枠部分（１１）の内側面に添接させることができ、吊り上げ操作の際に、前記の添接状態に保持されることにより、前記枠状本体（１０）の上昇に伴って該支圧部材（２０）の内側面（２０ａ）が前記突出脚（５２）の先端面（５２ａ）に対接し係合するように設けられている。
【００３１】
具体的には、前記支圧部材（２０）は、前記枠部分（１１）の内側面（１１ａ）に添接した状態において内側面が前記突出脚（５２）の先端面（５２ａ）に対接し係合し得るように所要の幅（Ｗ）を持つ、例えば断面略Ｈ形や角筒形の鋼材等よりなる対接部材（２１）と、該対接部材（２１）の両端部に結合された支持板（２２）とからなる。前記支持板（２２）には、前記対接部材（２１）が前記枠部分（１１）の内側に添接した状態において、該支持板（２２）の上端部から前記枠部分（１１）の内側上縁（１１ｂ）を回って外方に延びかつ下方に屈曲して前記軸支部（１３）に連結される鉤形状の連結部片（２３）が延設されており、該連結部片（２３）が前記枠部分（１１）の内側上縁（１１ｂ）に係合するようになっている。前記支持板（２２）の前記連結部片（２３）との延設側の一部が切欠され、前記枠部分（１１）の内が上縁を回る回動がスムーズに行えるようになっている。（２４）はその切欠部を示す。
【００３２】
前記の支圧部材（２０）は、内方向へ回動させない状態においては、該支圧部材（２０）の内側面（２０ａ）と前記突出脚（５２）の先端面（５２ａ）との間に、平面よりみて通過可能な空隙を保有して、かつ該支圧部材（２０）を内側に回動させた状態においては、該支圧部材（２０）の内側面（２０ａ）が、前記突出脚（５２）の先端面（５２ａ）の少なくとも上半部より内方に位置して、該枠状本体（１０）を上方に持ち上げたときに該先端面（５２ａ）に当接し係合するように、前記の幅（Ｗ）や軸支部（１３）の位置および前記連結部片（２３）による回動半径等が設定されている。
【００３３】
前記の構成よりなる本発明の実施例の吊り上げ用治具（１）は、例えばブロック製造工場での型枠離脱のための転置作業等の４脚ブロック（５０）を移動するための吊り上げ作業において使用するもので、その際、予め該吊り上げ用治具（１）を枠状本体（１０）に設けた係止部（３）にクレーン等に掛止した補助ワイヤー等の吊り手段（７３）のフックを係止して、枠状本体（１０）を水平にして吊り下げておく。
【００３４】
そして、４本の突出脚（５２）のうちの１本を上向きに、他の３本を同角度の斜め下向きに置いた４脚ブロック（５０）に対し、その上方から嵌め合せるように前記吊り上げ用治具（１）を降下させ、図６のように該治具の枠状本体（１０）が斜め下向きになっている３本の突出脚（５２）の外方を囲むように配置する。このとき、前記３本の突出脚（５２）の先端面（５２ａ）に対向する枠部分（１１）に備える支圧部材（２０）については、内側へ回動させずに該枠部分（１１）の内側面（１１ａ）の上方部もしくは外方に位置させておけばよく、これにより該支圧部材（２０）をブロック（５０）に当接させずに前記のように問題なく容易に配置できる。
【００３５】
そして、前記の配置状態において、前記各枠部分（１１）のそれぞれに備える支圧部材（２０）を、軸支部（１３）を中心に枠部分（１１）の上方から内方向に回動させて枠部分（１１）の内側に添接させる。この後、クレーン等により前記枠状本体（１０）を上方へ吊り上げることにより、前記各支圧部材（２０）の内側面（２０ａ）が前記各突出脚（５２）の先端面（５２ａ）、つまりやや斜め下方向きをなすように傾斜した先端面（５２ａ）に対接し係合する。したがって、前記の状態で前記枠状本体（１０）をさらに上昇させることにより、前記４脚ブロック（５０）を３本の突出脚（５２）の部分で支持した状態で吊り上げることができる。
【００３６】
すなわち、従来の玉掛けワイヤーを使用する方法の場合とは異なり、重量のあるワイヤーを突出脚（５２）の先端に掛ける作業が不要であり、前記支圧部材（２０）の回動操作とクレーンによる上下動操作のみの簡単な作業で吊り上げることができる。
【００３７】
そして、前記の吊り上げ状態においては、４脚ブロック（５０）は、斜め下向きの３本の突出脚（５２）の部分が、それぞれ先端面（５２ａ）に対接し係合する前記支圧部材（２０）を介して３方から挟圧されて支承されることになり、吊り上げ状態の安定性がよく、移動中のガタつきが防止されるとともに、水平状態も良好に保持されることになる。特に、前記支圧部材（２０）の内側面（２０ａ）が、面接触で前記突出脚（５２）の先端面（５２ａ）に対接することにより、支圧面積を増大できて、充分な強度を確保した状態で安定性よく支承できる。また、ブロック製造工場での型枠離脱のための転置作業で、ブロック下面側の斜線部分（５５）を成形する型枠（図示せず）が存在していても、前記のように問題なく吊り上げることができる。
【００３８】
また、前記吊り上げ用治具（１）を４脚ブロック（５０）から離脱させる際は、該ブロック（５０）を移動先の所定の位置に下ろすとともに、枠状本体（１０）をさらに降下させて前記支圧部材（２０）を各突出脚（５２）の先端面（５２ａ）から離脱させた後、前記支圧部材（２０）を前記枠部分（１１）の上方部から外方へ回動させて元の状態に戻せばよく、これにより、前記枠状本体（１０）をブロック（５０）の上方へ難なく抜脱することができる。
【００３９】
このように本発明の実施例の吊り上げ用治具（１）を使用することにより、次のような利点がある。
【００４０】
１．比較的大型で重重量物の４脚７ブロック（５０）を、水平状態に安定性よく吊り上げることができ、吊り上げ移動中の落下等のおそれがない。
【００４１】
２．従来の玉掛けワイヤーを使用する場合のように、ワイヤーをブロックに掛ける必要がなく、吊り上げのための操作が容易であり、吊り上げ移動のための作業性を改善できる。また、ワイヤーをブロックに接触させないため、ブロックの欠け等の損傷のおそれがない。
【００４２】
３．クレーン等の吊り手段のワイヤーには引っ張り力のみが作用することになるため、玉掛けワイヤー使用の場合のようなワイヤーの変形や消耗等のおそれがない。また、重量の有るワイヤーを作業者が持ち上げ移動する等の作業を不要にできる。
【００４３】
【発明の効果】
本発明の４脚ブロックの吊り上げ用治具によれば、放射方向に４本の突出脚を有する特異な形態をなしている４脚ブロックを吊り上げるための操作が容易であり、比較的大型で重重量物のブロックであるにも拘わらず、容易にかつ安定性よく水平姿勢に保持して吊り上げることができ、作業性を大幅に改善できるとともに、移動中の滑り落下の危険性やコーナー部等の損傷の発生を防止できる。
【図面の簡単な説明】
【図１】本発明に係る４脚ブロックの移動のための吊り上げ用治具の１実施例を示す平面図である。
【図２】同上の一部の拡大平面図である。
【図３】同上の一部の拡大側面図である。
【図４】図２のＡ−Ａ線の断面図である。
【図５】図２のＢ−Ｂ線の断面図である。
【図６】本発明の吊り上げ用治具を４脚ブロックに対して３本の突出脚外方を囲むように配置した状態の一部を省略した側断面図である。
【図７】同上の一部の拡大断面図である。
【図８】支圧部材を内側に回動させて突出脚先端面に対接し係合した状態の一部を省略した側断面図である。
【図９】同上の一部の拡大断面図である。
【図１０】４脚ブロックの斜視図である。
【図１１】従来の玉掛けワイヤーを用いる吊り上げ方法の例を示す説明図である。
【図１２】従来の玉掛けワイヤーを用いる吊り上げ方法の他の例を示す説明図である。
【符号の説明】
（１）    吊り上げ用治具
（３）    係止部
（１０）    枠状本体
（１１）    短辺の枠部分
（１１ａ）  内側面
（１１ｂ）  枠部分の内側上縁
（１２）    長辺の枠部分
（１３）    軸支部
（１４）    取付板
（２０）    支圧部材
（２０ａ）  内側面
（２１）    対接部材
（２２）    支持板
（２３）    連結部片
（２４）    切欠部
（Ｗ）    対接部材の幅
（５０）    ４脚ブロック
（５１）    中央部
（５２）    突出脚
（７０）    クレーンのフック
（７３）      補助ワイヤー等の吊り手段
【図１】
2004307077.tif 000003
【図２】
2004307077.tif 000004
【図３】
2004307077.tif 000005
【図４】
2004307077.tif 000006
【図５】
2004307077.tif 000007
【図６】
2004307077.tif 000008
【図７】
2004307077.tif 000009
【図８】
2004307077.tif 000010
【図９】
2004307077.tif 000011
【図１０】
2004307077.tif 000012
【図１１】
2004307077.tif 000013
【図１２】
2004307077.tif 000014